(57)【要約】【課題】シンプルモードと通常モード間の遷移が容易に行うことができるアプリケーション処理部、管理部とし、操作に不慣れなユーザにとって使い易い携帯端末を提供する。【解決手段】アプリケーション処理部は、起動中（Ｓ２０）に、ユーザによる他のアプリケーションへの起動操作をチェックし（Ｓ２１）、その種類に応じて、通常モード（Ｓ２２）、又はモード引継ぎ（Ｓ２３）でのアプリケーション起動要求を送信する。そして、アプリケーション処理部は、管理部から起動指示を受信する（Ｓ３０）と、自身がシンプルモードの仕様を備えるかチェックし（Ｓ３１）、ＮＯの場合、通常モード用のＵＩ画面を表示する（Ｓ３２）。Ｓ３１でＹＥＳの場合、管理部が指示するモードを確認し（Ｓ３３、Ｓ３４）、シンプルモードであればシンプルモード用のＵＩ画面を表示（Ｓ３５）、通常モードであれば通常モード用のＵＩ画面を表示する（Ｓ３２）。【選択図】図８
2008097468.tif 000002
【特許請求の範囲】
【請求項１】
表示及び操作形態が異なる第１モードと第２モードとを有するアプリケーション処理部を複数備える携帯端末であって、
前記第１モードと第２モードのいずれかを基本モードとしてユーザ設定する設定手段と、
同じアプリケーション処理部内での前記第１モードと第２モード間のモード間遷移と、他のアプリケーション処理部へのアプリケーション間遷移とを行うユーザ操作手段と、
前記モード間遷移操作が行われた場合、遷移後のモードで同じアプリケーション処理を起動し、前記アプリケーション間遷移操作が行われた場合、現在のアプリケーションと同一モードで他のアプリケーション処理部の起動を行う管理手段とを
具備することを特徴とする携帯端末。
【請求項２】
前記管理手段は、更に、前記ユーザ操作手段によらない割り込みが発生した場合、前記基本モードでの割り込みアプリケーション処理部の起動を行うことを特徴とする請求項１に記載の携帯端末。
【請求項３】
更に、
前記アプリケーション及びモードの遷移履歴を順番に記憶するアプリケーション履歴記憶手段と、
前記アプリケーション処理部で戻り操作が行われた場合、前記アプリケーション履歴記憶手段に記憶された遷移履歴の逆の順序でアプリケーションとモードを指示して起動する戻り管理手段とを
具備することを特徴とする請求項２に記載の携帯端末。
【請求項４】
表示及び操作形態が異なる第１モードと第２モードを有するアプリケーション処理部を複数備える携帯端末であって、
前記第１モードと第２モードのいずれかを基本モードとしてユーザ設定する設定手段と、
同じアプリケーション処理部内での前記第１モードと第２モード間のモード間遷移と、他のアプリケーション処理部へのアプリケーション間遷移とを行うユーザ操作手段と、
前記モード間遷移操作が行われた場合、遷移後のモードで同じアプリケーション起動要求を管理部へ通知し、前記アプリケーション間遷移操作が行われた場合、現在のアプリケーションと同一モードで他のアプリケーション処理部の起動要求を管理部へ通知する遷移元のアプリケーション処理部と、
管理部から指示されたモードでアプリケーション処理を起動する遷移先のアプリケーション処理部と、
前記遷移元のアプリケーション処理部から通知されたモード種別での起動を遷移先のアプリケーション処理部に指示し、前記ユーザ操作手段によらない割り込みが発生した場合には、前記基本モードでの割り込みアプリケーション処理部の起動を指示する管理部とを
具備することを特徴とする携帯端末。
【発明の詳細な説明】
【技術分野】
【０００１】
本発明は、携帯端末の操作に不慣れなユーザ用のシンプルモードと、操作に慣れたユーザ用の詳細な通常モードを搭載した携帯端末に関する。
【背景技術】
【０００２】
簡単メニューと詳細メニューを設けることにより、容易にメニュー操作を行うことができ、高齢者や操作に不慣れなユーザにとって使い勝手に優れる携帯端末がある（例えば、特許文献１参照。）。この携帯端末においては、簡単メニュー（特許文献１の図２（ａ））は、詳細メニュー（同図２（ｂ））に含まれるメニュー項目の中から頻繁に使用される機能をメニュー化したものであり、あまり使われない機能は外してある。簡単メニューと詳細メニューは、それぞれ大項目、中項目、小項目の３階層から構成されている。不慣れなユーザは、この簡単メニューのみを使用することにより、操作が容易になる。
【特許文献１】特開２００３−５８２９２号公報（第２頁、図２、図５、図６）
【発明の開示】
【発明が解決しようとする課題】
【０００３】
特許文献１においては、不慣れなユーザが簡単メニューを使用し続ける限りは、簡単メニュー中の大項目、中項目、小項目間の移動操作のみで済み、操作は容易である。しかし、不慣れなユーザであっても、簡単メニューにはない詳細メニュー中の機能を使いたい場合が発生することがある。
【０００４】
その場合、ユーザが簡単メニューから詳細メニューに切り替え操作を行うと、詳細メニューのトップページである大項目表示に移行する（特許文献１の図５）。また、詳細メニューから簡単メニューへ戻る操作を行うと、簡単メニューのトップページである大項目表示に移行する（特許文献１の図６）。すなわち、簡単メニューと詳細メニュー間の切り替えは、必ずそれぞれのトップページを経由した移動となる。そのため、必要とする項目にたどり着くのは、不慣れなユーザにとっては容易ではない。また、たどり着いた後で、元の簡単メニュー中の使用中であった項目欄に直接戻ることもできないという問題がある。
【０００５】
本発明は、この問題を解決し、シンプルモード（簡単メニュー）と通常モード（詳細メニュー）間の移動が容易に行うことができ、操作に不慣れなユーザにとって更に使い易い携帯端末を提供することを目的とする。
【課題を解決するための手段】
【０００６】
上記目的を達成するために、本発明の携帯端末は、表示及び操作形態が異なる第１モードと第２モードとを有するアプリケーション処理部を複数備える携帯端末であって、前記第１モードと第２モードのいずれかを基本モードとしてユーザ設定する設定手段と、同じアプリケーション処理部内での前記第１モードと第２モード間のモード間遷移と、他のアプリケーション処理部へのアプリケーション間遷移とを行うユーザ操作手段と、前記モード間遷移操作が行われた場合、遷移後のモードで同じアプリケーション処理を起動し、前記アプリケーション間遷移操作が行われた場合、現在のアプリケーションと同一モードで他のアプリケーション処理部の起動を行う管理手段とを具備することを特徴とする。
【発明の効果】
【０００７】
本発明によれば、シンプルモードと通常モード間の移動が容易に行うことができ、操作に不慣れなユーザにとって更に使い易い操作を得ることができる。
【発明を実施するための最良の形態】
【０００８】
図１は、本発明の実施例に係る携帯端末の関連部分のブロック図である。携帯端末１００は、図示しないＣＰＵやプログラムメモリなどにより動作するコンピュータシステムであり、各種のアプリケーション処理を行う。携帯端末１００は、制御部１、アンテナ２、通信部３、送受信部４、スピーカ５、マイクロホン６、通話部７、表示部８、入力部９、管理部１０、アプリケーション履歴情報メモリ１１、モード設定値情報メモリ１２、設定処理部１３、通話処理部１４、ツール系処理部１５、待ち受け処理部１６、メール処理部１７、ブラウザ処理部１８などにより構成される。各処理部は、１乃至複数のアプリケーション処理を行う。
【０００９】
制御部１は、携帯端末１００全体の制御を行う。アンテナ２は、基地局（図示せず）との間で電波の送受信を行う。通信部３は、アンテナ２が受信した高周波信号を送受信部４へ送信し、また、送受信部４から送信される高周波信号をアンテナ２より送信する。送受信部４は、通信部３からの高周波信号を増幅、周波数変換及び復調し、それによって得られたディジタル音声信号を通話部７へ、また、制御信号を制御部１に送る。更には、通話部７から送信されるディジタル音声信号、及び制御部１から送信される制御信号を変調、周波数変換及び増幅し、高周波信号を得て、それを通信部３に送る。
【００１０】
スピーカ５は、受話やその他の音声出力用である。マイクロホン６は、送話などの音声入力用である。通話部７は、送受信部４から送信されるディジタル音声信号をアナログ音声信号に変換し、それを増幅して受話用スピーカ５に送る。また、マイクロホン６から送信されるアナログ音声信号を増幅し、それをディジタル音声信号に変換して送受信部４に送信する。表示部８は、各種表示出力用であり、ＬＣＤなどで構成される。入力部９は、各種キー操作用の入力手段である。
【００１１】
管理部１０は、各処理部（後述の１３〜１８）のアプリケーション処理の動作モードを管理し、アプリケーション処理の履歴をアプリケーション履歴情報メモリ１１に記憶する。モード設定値情報メモリ１２は、表示及び操作形態が異なるシンプルモード（第１モード）と通常モード（第２モード）のいずれかをユーザが選択し、選択されたモードを基本のモードとして記憶するメモリである。シンプルモードは、初心者や高齢者用のモードである。通常モードは、熟練者用の詳細なモードである。このいずれかをユーザが選択する。この選択処理は、設定処理部１３（後述）や待ち受け処理部１６（後述）により行われる。
【００１２】
各処理部（１３〜１８）について以下に説明する。設定処理部１３は、ユーザによる各種設定を処理する。特に本発明に関して、キー操作および表示に関するシンプルモード／通常モードのユーザ選択処理を行う。通話処理部１４は、音声通話処理の全般を行う。ツール系処理部１５は、携帯端末１００が有するツール全般、例えば、アラーム、簡易留守録、メモ帳、電卓などの処理を行う。
【００１３】
待ち受け処理部１６は、装置が待ち受け状態にある場合、待ち受け画面の表示処理などを行う。メール処理部１７は、メール通信に関する処理全般を行う。ブラウザ処理部１８は、Ｗｅｂに関する処理全般を行う。各処理部は、それぞれ、１乃至複数のアプリケーション処理部を有する。
【００１４】
図２は、本発明の実施例に係る携帯端末のアプリケーション処理部の遷移の概略を説明する図である。異なるアプリケーション処理部間のモード引継ぎ遷移と、同じアプリケーション処理部内のシンプルモード／通常モード間の遷移を合わせて説明したものである。一点鎖線より左側が通常モード、右側がシンプルモードである。
【００１５】
通常モードの例として、待ち受け画面（通常）２１、プロンプト画面（通常）２２、メインメニュー（通常）２３、機能Ａ（通常）２４、機能Ｂ（通常）２５、機能Ｃ（通常）２６などがある。それぞれの機能は熟練者用に項目も多く、文字サイズも小さい。シンプルモードの例として、通常モードのそれぞれに対応して、内容を簡素化した待ち受け画面（シンプル）２７、プロンプト画面（シンプル）２８、メインメニュー（シンプル）２９、機能Ａ（シンプル）３０、機能Ｂ（通常）３１、機能Ｃ（シンプル）３２などがある。文字サイズは、大か中が選べる。
【００１６】
機能Ｂ（通常）２５については、元来、内容が簡素であり、シンプル用のものを設ける必要がなく、機能Ｂ（通常）２５をそのまま流用して、シンプル用の機能Ｂ（通常）３１としている。
【００１７】
携帯端末１００の最初の電源を入れると、デフォルトとして、熟練者用の通常モードとなり、待ち受け画面（通常）２１が表示される。この状態から、ユーザが［特定キー］以外のキー操作を行うと、その操作内容に応じて、一点鎖線の左側の範囲で遷移する。熟練者は、この通常モードの操作や表示で問題なく操作できる。
【００１８】
ユーザが初心者や高齢者で、通常モードでの操作がむずかしく感じる場合には、ユーザが［特定キー］を長押しすると、初心者や高齢者用のシンプルモードとなり、まず、文字サイズ設定３３が表示される。更にユーザが、［大］か［中］を選択すると、待ち受け画面（シンプル）２７が表示される。文字の大きさは、文字サイズ設定３３で選択された［大］か［中］となる。待ち受け画面（シンプル）２７の状態から、ユーザが［特定キー］を長押しすると、熟練者用の通常モードに移る。
【００１９】
シンプルモードにおいては、ユーザが［特定キー］以外のキー操作を行うと、その操作内容に応じて、一点鎖線の右側の範囲で基本的には遷移する。初心者や高齢者は、このシンプルモードの操作や表示で簡単に操作することができる。しかし、初心者や高齢者であっても、シンプルモードにはない通常モード中の機能を使いたい場合が発生することがある。
【００２０】
例えば、メインメニュー（シンプル）２９の表示の中にはない詳細な項目を使用したい場合、ユーザがメインメニュー（シンプル）２９の表示状態において、「通常のメニューへ」を選択操作すると、メインメニュー（シンプル）２９に対応するメインメニュー（通常）２３へ直接に一時的に遷移し、メインメニュー（通常）２３を使用することができる。そして、メインメニュー（通常）２３で詳細な項目の設定を終了し、「ＣＬＲ」キー（戻りキー）を操作すると、メインメニュー（シンプル）２９へ戻る。すなわち、各アプリケーション毎に直接に一時的にシンプルモードから通常モードへの遷移を行うことができる。
【００２１】
シンプルモードから通常モードへの遷移は、「通常のメニューへ」以外では、図示しない「全てのメニュー」、「全てのサブメニュー」、「全ての項目」などがある。ユーザは、それらを選択操作することにより、各アプリケーション毎に直接に一時的にシンプルモードから通常モードへ遷移することができる。そして、通常モードでの処理が終了すると、基本的に元のシンプルモードに戻る。
【００２２】
図３は、本発明の実施例に係る携帯端末のアプリケーション処理部の遷移の詳細１を説明する図である。特定のアプリケーションを例として遷移を表示画面で示して説明する。ユーザは、初心者や高齢者用のシンプルモードを基本のモードとして設定しているとする。アプリケーションの種類は、待ち受け画面、メニュー、ツール、ナビゲーションとする。メニュー、ツール、ナビゲーションの各アプリケーションについて、シンプルモードと通常モードが備えられている。図中の矢印のユーザ操作により、矢印の方向へ遷移する。
【００２３】
同じアプリケーションのシンプルモードから通常モードへの遷移は、「通常のメニューへ」、「全てのメニュー」、「全てのサブメニュー」、「全ての項目」の選択操作であり、それ以外の操作では、現在表示中のシンプル／通常モードを継続するように遷移する。アプリケーションの遷移の例として、（ａ）、（ｂ）、（ｅ）、（ｆ）、（ｇ）の順序の遷移について説明する。
【００２４】
待ち受けアプリ（シンプル）（ａ）で「メニュー」起動操作が行われると、シンプルモードを継続して、メインメニューアプリ（シンプル）（ｂ）に遷移する。メインメニューアプリ（シンプル）（ｂ）の画面に備わる項目は、９個の四角い枠である。中央の枠には、「通常のメニュー」の表示がなされている。他の８個の項目にユーザが欲する項目がない場合、「通常のメニュー」を選択操作すると、通常モードのメインメニューアプリ（通常）（ｅ）に遷移する。
【００２５】
メインメニューアプリ（通常）（ｅ）の画面に備わる項目は、１２個の四角い枠であり、メインメニューアプリ（シンプル）（ｂ）の項目にない詳細項目を備えている。メインメニューアプリ（通常）（ｅ）で「ツール」選択操作が行われると、通常モードを継続して、ツールアプリ（通常）（ｆ）へ遷移する。ツールアプリ（通常）（ｆ）で「ナビゲーション」を選択操作すると、通常モードを継続して、ナビゲーションアプリ（通常）（ｇ）へ遷移する。
【００２６】
戻る場合には、「ＣＬＲ」キー（戻りキー）を押すことにより、遷移の逆をたどって戻る。また、図示しないが、全ての状態から「ＲＥＤ」キー（電源キー）を押すことにより、待ち受けアプリ（シンプル）（ａ）へ直接戻る。
【００２７】
このように、基本のモードとして設定されたシンプルモードはそのままの状態で、アプリケーションは、ユーザ操作により、シンプルモードと通常モード間を一時的に容易に遷移することができる。
【００２８】
図４は、本発明の実施例に係る携帯端末のアプリケーション処理部の遷移の詳細２を説明する図である。図３は、ユーザ操作による遷移を示したが、図４は、ユーザ操作によらない割り込みによる遷移を示す。ユーザの意図しない割り込みとして、メール着信、音声着信、ＴＶ電話着信、ＰＴＴ（Ｐｕｓｈ  Ｔｏ  Ｔａｌｋ）着信、アラームなどがある。図３のナビゲーションアプリ（通常）（ｇ）の状態の時に、メール着信があったとする。
【００２９】
メール着信があると、ナビゲーションアプリ（通常）（ｇ）の通常モードを継続することなく、基本のモードとして設定されているシンプルモードのメール受信アプリ（シンプル）（ｈ）へ遷移する。メール受信アプリ（シンプル）（ｈ）で「読む」を選択操作すると、シンプルモードを継続して、メール本文表示アプリ（シンプル）（ｉ）へ遷移する。読み終わって、「ＣＬＲ」キーを押すと、シンプルモードを継続することなく、割り込み（メール着信）があった時の状態であるナビゲーションアプリ（通常）（ｇ）へ戻る。ユーザは、そこで、再び、ナビゲーションアプリ（通常）（ｇ）での処理を行うことができる。
【００３０】
このように、ユーザが意図しない割り込みが発生した時には、基本のモードとして設定されているシンプルモードのアプリケーションに遷移することにより、ユーザが本来設定しているシンプルモードで動作させることができる。
【００３１】
図５は、本発明の実施例に係る携帯端末のアプリケーション処理部の遷移の詳細３を説明する図である。この例では、「ＣＬＲ」キーによらない戻りについて説明する。アプリケーションは、受信メールボックス、サブメニュー、削除完了の例である。受信メールボックス（シンプル）（Ａ）で、１件のメールにカーソルを合わせて、「サブメニュー」操作を行うと、サブメインメニューアプリ（シンプル）（ｂ）に遷移する。
【００３２】
サブメインメニューアプリ（シンプル）（ｂ）で、「１件削除」操作を行うと、指定のメールの削除処理が行われ、削除完了（シンプル）（Ｃ）に遷移し、削除完了画面が所定期間表示される。そして、そのまま、基本のモードとして設定されたシンプルモードの受信メールボックス（シンプル）（Ａ）へ戻る。
【００３３】
サブメインメニューアプリ（シンプル）（ｂ）で、「全てのサブメニュー」選択操作を行うと、サブメニュー（通常）（Ｄ）へ遷移する。サブメニュー（通常）（Ｄ）で、「削除」選択操作を行うと、削除選択（通常）（Ｅ）へ遷移する。削除選択（通常）（Ｅ）で、「１件」、「複数」、「全件」のいずれかを選択操作すると、選択された削除処理が行われ、削除完了（通常）（Ｆ）に遷移し、削除完了画面が所定期間表示される。そして、そのまま、基本のモードとして設定されたシンプルモードの受信メールボックス（シンプル）（Ａ）へ戻る。
【００３４】
このように、ユーザ操作ではあるが、一連の操作が完了した場合には、その時のシンプル／通常モードに関わらずに、基本のモードとして設定されたモードであるシンプルモードへ戻ることにより、ユーザにとってわかり易い表示となる。基本のモードとして設定されたモードに戻る一連の操作の完了としては、他に、アドレス帳の編集操作の完了、ブラウザのブックマーク登録操作の完了、メールの転送操作の完了、エディターの操作完了、データフォルダの削除操作の完了などがある。
【００３５】
図６は、本発明の実施例に係る携帯端末のアプリケーション履歴情報メモリ１１の内容を説明する図である。アプリケーションの遷移の順番の例として、図３、図４で説明した（ａ）、（ｂ）、（ｅ）、（ｆ）、（ｇ）、（ｈ）、（ｉ）の遷移順の例を示す。管理部１０は、アプリケーション履歴情報メモリ１１に、履歴順序１１ａに対応するアプリケーション名とそのモード種別１１ｂを記録する。
【００３６】
履歴順序１には、最初に表示された待ち受けアプリ（シンプル）が記録される。履歴順序２には、その次の操作選択で遷移したメインメニューアプリ（シンプル）が記録される。以下同様に、履歴順序３にはメインメニューアプリ（通常）、履歴順序４にはツールアプリ（通常）、履歴順序５にはナビゲーションアプリ（通常）、履歴順序６にはメール受信アプリ（シンプル）、履歴順序７にはメール受信本文表示アプリ（シンプル）が記録される。
【００３７】
図７は、本発明の実施例に係る携帯端末の待ち受け処理部１６によるシンプル／通常モードのユーザによる基本のモード設定の動作フローチャートである。特定キーがユーザにより操作されて長押しされると（ステップＳ２でＹＥＳ）、現在の基本のモードを確認する（ステップＳ３）。それが通常モードであれば、通常モードとは反対のシンプルモードに基本設定を以下のように切り替える。まず、文字大きさに関するユーザ操作をチェックし（ステップＳ４）、「大」であれば文字大きさを「大」に設定する（ステップＳ５）。「中」であれば文字大きさを「中」に設定する（ステップＳ６）。そして、モード設定値情報メモリ１２に「シンプルモード」を記憶する（ステップＳ７）。
【００３８】
ステップＳ３で現在の基本のモードがシンプルモードであれば、シンプルモードとは反対の通常モードに基本設定を以下のように切り替える。まず、文字大きさは、シンプルモードで設定された文字大きさを継続する（ステップＳ８）。なお、図示しないが、初期の通常モードの状態においては、文字大きさは、「大」「中」「小」の中から選択することができる。そして、モード設定値情報メモリ１２に「通常モード」を記憶する（ステップＳ９）。以上で処理を終了する（ステップＳ１０）。なお、図７の処理は、設定処理部１３によっても同様に行われる。
【００３９】
次に、図３、図４、図５で説明したアプリケーション処理部の遷移を実行する各アプリケーション処理部および管理部の動作をフローチャート（図８、図９）で説明する。  
図８は、本発明の実施例に係る携帯端末の各アプリケーション処理部での起動に関する動作フローチャートである。各アプリケーション処理部は、特定のアプリケーション処理部ということではなく、アプリケーション処理部それぞれが有する処理である。  
図９は、本発明の実施例に係る携帯端末の管理部での起動に関する動作フローチャートである。以下、図８と図９により動作を説明する。
【００４０】
図８の（ａ）は、各アプリケーション処理部での起動中に関する動作フローチャートである。起動中にユーザによる他のアプリケーションへの起動操作が行われた場合、その種別をチェックする（ステップＳ２１）。種別が「通常のメニューへ」、「全てのメニュー」、「全てのサブメニュー」、「全ての項目」の選択操作、例えば、図３の（ｂ）から（ｅ）への遷移操作「通常のメニューへ」であれば、管理タスクへ通常モードでアプリケーション起動要求送信を行う（ステップＳ２２）。ステップＳ２１で種別が上記以外、例えば図３の（ａ）から（ｂ）への「メニュー起動」などの選択操作であれば、管理タスクへモード引継ぎでアプリケーション起動要求送信を行う（ステップＳ２３）。
【００４１】
これらの各アプリケーション処理部の動作に対応して、管理部は次のように動作する。  図９において、管理部は、各アプリケーション処理部から起動要求を受信すると、起動要求受信に入る（ステップＳ４０）。これは、図３、図４、図５の図中の矢印の遷移条件に相当し、例えば、図３の（ｂ）から（ｅ）への「通常のメニューへ」、（ａ）から（ｂ）への「メニュー起動」などである。また、図４の（ｇ）から（ｈ）への「メール着信」などである。
【００４２】
そこで、これらの起動要求の種類が割り込み起動かユーザ起動かをチェックする（ステップＳ４１）。割り込み起動は、メール着信、音声着信、ＴＶ電話着信、ＰＴＴ（Ｐｕｓｈ  Ｔｏ  Ｔａｌｋ）着信、アラームなどである。なお、割り込み起動で動作するアプリケーションでは、割り込み起動要求の送信を行う（図示せず）。
【００４３】
ステップＳ４１で割り込み起動であれば、移動先アプリケーションのモード情報にユーザが設定した基本のモード、すなわちモード設定値情報メモリ１２（図１）の内容を設定し（ステップＳ４２）、起動要求を受けたアプリケーションに起動指示を送信する（ステップＳ４３）。これにより、例えば、図４（ｈ）のメール受信アプリケーションがシンプルモードで起動する。そして、アプリケーションの起動順に、アプリケーション履歴情報メモリ１１にアプリケーション名とそのシンプル／通常モード種別を記録し（ステップＳ４４）、終了する（ステップＳ４５）。
【００４４】
ステップＳ４１でユーザ起動（割り込み起動以外）であれば、アプリケーション起動要求で受信したモードをチェックする（ステップＳ４６）。それがモード引継ぎでの起動要求であれば、移動先アプリケーションのモード情報に起動元アプリケーションのモードを継続して設定し（ステップＳ４７）、起動要求を受けたアプリケーションに起動指示を送信する（ステップＳ４３）。これにより、例えば、図３（ａ）のシンプルモード状態で「メニュー起動」操作が行われるた時は、シンプルモードが引き継がれて、図３（ｂ）のメインメニューアプリケーションがシンプルモードで起動する。または、図３（ｅ）の通常モード状態で「ツール」選択操作が行われた時は、通常モードが引き継がれて、図３（ｆ）が通常モードで起動する。
【００４５】
ステップＳ４６で通常モードでの起動要求であれば、移動先アプリケーションのモード情報に通常モードを設定し（ステップＳ４８）、起動要求を受けたアプリケーションに起動指示を送信する（ステップＳ４３）。これにより、例えば、図３（ｂ）のシンプルモード状態で「通常のメニューへ」選択操作が行われた時は、図３（ｅ）のメインメニューアプリケーションが通常モードで起動する。
【００４６】
これらの管理部の動作に対応して、各アプリケーション処理部は次のように動作する。  図８に戻り、（ｂ）は、各アプリケーション処理部での起動指示受信に関する動作フローチャートである。各アプリケーション処理部は、管理部１０から起動指示を受信すると（ステップＳ３０）、まず、起動指示を受信したアプリケーション処理部自体がシンプルモードの仕様を有するかチェックする（ステップＳ３１）。これは、図２で説明した通常機能Ｂのように、元来簡単な項目の仕様の場合、シンプルモードを敢えて備えずに通常モードのみのアプリケーションがあるからである。シンプルモードの仕様を有しない場合、通常モード用のＵＩ（ユーザ・インターフェース）画面を表示する（ステップＳ３２）。
【００４７】
ステップＳ３１でシンプルモードの仕様を有する場合、管理部１０に現在のモードを確認する（ステップＳ３３、Ｓ３４）。管理部１０は、図９のステップＳ４６で判断した通常モードか、又はモード引継ぎでのシンプルモードか通常モードかを設定している。各アプリケーション処理部は、これを確認して（ステップＳ３３、Ｓ３４）、シンプルモードであればシンプルモード用のＵＩ画面を表示する（ステップＳ３５）。これにより、例えば、図３（ｂ）のメインメニューアプリケーションがシンプルモードで起動する。通常モードであれば通常モード用のＵＩ画面を表示する（ステップＳ３２）。これにより、例えば、図３（ｅ）のメインメニューアプリケーションが通常モードで起動する。
【００４８】
図１０は、本発明の実施例に係る携帯端末のアプリケーション終了に関する動作フローチャートである。  
（ａ）は、各アプリケーション処理部での起動中に関する動作フローチャートである。起動中にユーザによる他のアプリケーションへの戻り操作をチェックする。戻り操作は、図３、図４、図５の図中の矢印の戻りの遷移条件に相当し、例えば、図３の「ＣＬＲ」キー、図４の「ＣＬＲ」キー、図５の「一連の操作完了」などである。
【００４９】
戻り操作があれば、管理タスクへアプリケーション終了要求を送信し（ステップＳ５２）、終了する（ステップＳ５３）。
【００５０】
（ｂ）は、管理部でのアプリケーション終了処理に関する動作フローチャートである。管理部は、各アプリケーション処理部から終了要求を受信すると(ステップＳ６１でＹＥＳ)、アプリケーション履歴情報メモリ１１（図６）の履歴の逆の順序で、１つ前のアプリケーション名とそのシンプル／通常モード種別を設定する。そして、履歴から、現在のアプリケーション履歴を１つ消去する（ステップＳ６２）。そして、１つ前のアプリケーションに起動指示を送信する（ステップＳ６３）。
【００５１】
但し、各アプリケーション処理部からの終了要求が図５の「一連の操作完了」の場合には、アプリケーション履歴情報メモリ１１の１つ前のアプリケーションではなく、予め決められた数個前のアプリケーションに起動指示を送信する。また、図４の（ｉ）から８ｇ）へ「ＣＬＲ」キーで戻る場合には、割り込んだ時に開いていたアプリケーション（ｇ）を予め記憶しておき、そこに戻る。
【００５２】
（ｃ）は、各アプリケーション処理部での起動指示受信に関する動作フローチャートである。起動指示を受信したアプリケーション処理部は、管理部１０に現在のモードを確認し（ステップＳ７１、Ｓ７２）、シンプルモードであればシンプルモード用のＵＩ画面を表示する（ステップＳ７３）。通常モードであれば通常モード用のＵＩ画面を表示する（ステップＳ７４）。以上の図１０の処理により、図３、図４、図５で説明したアプリケーション処理部の戻りの遷移が行われる。
【００５３】
本発明の実施例によれば、アプリケーションが起動する際に、各アプリケーションが意識することなくモードの情報を引き継ぐことができる。モードが変更されても表示・操作が変わらないアプリケーションについては、モードを意識せず実装することが可能となる。シンプルモード中に一時的に通常モードの機能を使用している場合でも、割り込みアプリをシンプルモードで起動することができる。
【００５４】
この処理により、シンプルモードと通常モード間の移動が容易に行うことができ、操作に不慣れなユーザにとって更に使い易い操作を得ることができる。
【図面の簡単な説明】
【００５５】
【図１】本発明の実施例に係る携帯端末の関連部分のブロック図。
【図２】本発明の実施例に係る携帯端末のアプリケーション処理部の遷移の概略を説明する図。
【図３】本発明の実施例に係る携帯端末のアプリケーション処理部の遷移の詳細１を説明する図。
【図４】本発明の実施例に係る携帯端末のアプリケーション処理部の遷移の詳細２を説明する図。
【図５】本発明の実施例に係る携帯端末のアプリケーション処理部の遷移の詳細３を説明する図。
【図６】本発明の実施例に係る携帯端末のアプリケーション履歴情報メモリ１１の内容を説明する図。
【図７】本発明の実施例に係る携帯端末の待ち受け処理部１６によるシンプル／通常モードのユーザによる基本のモード設定の動作フローチャート。
【図８】本発明の実施例に係る携帯端末の各アプリケーション処理部での起動に関する動作フローチャート。
【図９】本発明の実施例に係る携帯端末の管理部での起動に関する動作フローチャート。
【図１０】本発明の実施例に係る携帯端末のアプリケーション終了に関する動作フローチャート。
【符号の説明】
【００５６】
１  制御部
２  アンテナ
３  通信部
４  送受信部
５  スピーカ
６  マイクロホン
７  通話部
８  表示部
９  入力部
１０  管理部
１１  アプリケーション履歴情報メモリ
１２  モード設定値情報メモリ
１３  設定処理部
１４  通話処理部
１５  ツール系処理部
１６  待ち受け処理部
１７  メール処理部
１８  ブラウザ処理部
１００  携帯端末
【図１】
2008097468.tif 000003
【図２】
2008097468.tif 000004
【図３】
2008097468.tif 000005
【図４】
2008097468.tif 000006
【図５】
2008097468.tif 000007
【図６】
2008097468.tif 000008
【図７】
2008097468.tif 000009
【図８】
2008097468.tif 000010
【図９】
2008097468.tif 000011
【図１０】
2008097468.tif 000012